(57)【要約】【課題】身体に治療をもたらすためのシステム及び方法を提供する。【解決手段】一部の例示的実施形態では、本発明は、身体に治療をもたらすためのシステムに関する。システムは、第１のパッチを含み、これは、第１のパッチが身体の近くに置かれた時に身体に第１の治療を施すものである。第１のパッチは、身体の第１の部位に適合するようにカスタマイズされる。システムは、第２のパッチを更に含み、これは、第２のパッチが身体の近くに置かれた時に身体に第２の治療を施すものである。第２のパッチは、身体の第２の部位に適合するようにカスタマイズされ、かつ第１のパッチに取外し可能に固定されて第１のパッチ及び第２のパッチの組合せである第３のパッチを形成する。【選択図】図１
2007535360.tif 000002
【特許請求の範囲】
【請求項１】
身体に治療をもたらすためのシステムであって、
身体の近くに置かれた時に該身体に第１の治療を施す第１のパッチと、
前記身体の近くに置かれた時に該身体に第２の治療を施す第２のパッチと、
を含み、
前記第２のパッチは、前記第１のパッチに取外し可能に固定されて該第１のパッチ及び該第２のパッチの組合せである第３のパッチを形成している、
ことを特徴とするシステム。
【請求項２】
前記第１及び第２のパッチは、熱パッチであることを特徴とする請求項１に記載のシステム。
【請求項３】
前記第１及び第２のパッチは、冷却パッチであることを特徴とする請求項１に記載のシステム。
【請求項４】
前記第１及び第２のパッチの少なくとも一方は、抗生物質を含むことを特徴とする請求項１に記載のシステム。
【請求項５】
前記第１の治療は、前記第２の治療とは異なっていることを特徴とする請求項１に記載のシステム。
【請求項６】
前記第１のパッチは、前記身体の第１の部位に適合するようにカスタマイズされ、前記第２のパッチは、該身体の第２の部位に適合するようにカスタマイズされていることを特徴とする請求項１に記載のシステム。
【請求項７】
前記第３のパッチは、前記身体の第３の部位に適合するようにカスタマイズされていることを特徴とする請求項６に記載のシステム。
【請求項８】
前記第１のパッチ及び前記第２のパッチは、該第１のパッチを該第２のパッチから分離するために引き裂かれる穿孔区域によって互いに取外し可能に固定されていることを特徴とする請求項１に記載のシステム。
【請求項９】
前記穿孔区域は、前記第１及び第２のパッチの間のスリットで形成されていることを特徴とする請求項８に記載のシステム。
【請求項１０】
前記第１のパッチは、第１の形状を有し、前記第２のパッチは、該第１の形状と同じ第２の形状を有することを特徴とする請求項１に記載のシステム。
【請求項１１】
身体に治療をもたらす方法であって、
第２のパッチが第１のパッチに取外し可能に固定されて第３のパッチを形成している身体に治療をもたらすためのシステムから、該第１のパッチ、該第２のパッチ、又は該第３のパッチのうちの１つを選択する段階と、
前記選択されたパッチを前記身体の部位の近くに付加する段階と、
を含むことを特徴とする方法。
【請求項１２】
前記第１のパッチ、前記第２のパッチ、又は前記第３のパッチのうちの１つを選択する段階は、前記身体の前記部位の近くに付加するのに適切な大きさのパッチを判断する段階を含むことを特徴とする請求項１１に記載の方法。
【請求項１３】
前記第１のパッチ、前記第２のパッチ、又は前記第３のパッチのうちの１つを選択する段階は、該第１のパッチを該第２のパッチから取外す段階を含むことを特徴とする請求項１１に記載の方法。
【請求項１４】
前記第１のパッチを前記第２のパッチから取外す段階は、該第１のパッチと該第２のパッチの間の穿孔区域を引き裂く段階を含むことを特徴とする請求項１３に記載の方法。
【請求項１５】
前記選択されたパッチを前記身体の部位の近くに付加する段階は、前記第１のパッチ及び前記第２のパッチの少なくとも一方が該選択されたパッチである場合に、該第１のパッチ及び該第２のパッチの少なくとも一方を該身体の該部位の近くに付加する段階を含むことを特徴とする請求項１１に記載の方法。
【請求項１６】
前記選択されたパッチを前記身体の部位の近くに付加する段階は、前記第３のパッチが該選択されたパッチである場合に、該第３のパッチを該身体の該部位の近くに付加する段階を含むことを特徴とする請求項１１に記載の方法。
【請求項１７】
身体に治療をもたらすためのシステムであって、
身体の第１の部位に適合するようにカスタマイズされ、該身体の近くに置かれた時に該身体に第１の治療を施す第１のパッチと、
前記身体の近くに置かれた時に該身体に第２の治療を施す第２のパッチと、
を含み、
前記第２のパッチは、前記身体の第２の部位に適合するようにカスタマイズされ、かつ前記第１のパッチに取外し可能に固定されて該第１のパッチ及び該第２のパッチの組合せである第３のパッチを形成する、
ことを特徴とするシステム。
【請求項１８】
前記第３のパッチは、前記身体の第３の部位に適合するようにカスタマイズされていることを特徴とする請求項１７に記載のシステム。
【請求項１９】
前記第１のパッチ及び前記第２のパッチは、該第１のパッチを該第２のパッチから分離するために引き裂かれる穿孔区域によって互いに取外し可能に固定されていることを特徴とする請求項１７に記載のシステム。
【請求項２０】
前記身体の前記第１の部位は、該身体の前記第２の部位とは異なっていることを特徴とする請求項１７に記載のシステム。
【発明の詳細な説明】
【技術分野】
【０００１】
本発明の一部の実施形態は、身体に治療をもたらすためのシステム及び方法、特に、身体のある一定の部位に治療をもたらすために身体上にパッチを置く段階を含むシステム及び方法に関する。
【背景技術】
【０００２】
身体の様々な部分に治療を施すことは、多くの種類の身体的な問題を治癒又は軽減させるための認められた医療である。１つの例示的な治療は、腫れ、炎症、及び／又は筋肉痛を軽減させるために身体の部位近くにアイスパックを付加することで身体の部位を冷却する段階を伴っている。別の例示的な治療は、凝り、筋肉痛、手足の冷え、腰痛、リウマチ、及び神経痛（とりわけ）のような症状を治療するために発熱パッドを用いて身体のある一定の部位に熱を加えるものである。他の治療は、鎮痛剤（痛みに対して）又は抗生物質（感染症に対して）を身体のその部位に付加する段階を含む。
【０００３】
治療を施すために発熱パッド及びアイスパックを用いる１つの問題は、これらは、負傷者又は負傷者を介助する誰かによって所定位置に保持する必要があるので、身体のある一定の部位に付着させることが困難なことである。発熱パッド又はアイスパックを身体の負傷した部位に対して保持することは、所定位置にアイスパック又は発熱パッドを保持するために比較的大きな力を一般的に必要とするので、患者に不快感をもたらす可能性がある。
身体の部位を冷却又は加熱する別の方法は、身体の部位に対してホット又はコールドパッチを付加する段階を含む。パッチは、典型的には接着剤を用いて身体の部位に直接又は間接的に付加される。部位を痛み及び／又は感染に関して治療するために、鎮痛剤及び／又は抗生物質もまた、このようなパッチ内に組み込むことができる。
【０００４】
典型的なコールドパッチは、コールドパッチ内で起こる吸熱反応を通じて冷却を発生する。コールドパッチは、通常は、共に共通の容器内に格納された溶質及び液体を含む。液体及び溶質は、最初は容器内で一方から隔離され、次に、容器内で混合されてコールドパッチの温度を低下させる吸熱溶液を形成する。
典型的な熱パッチは、熱パッチ内で起こる発熱反応を通じて熱を発生する。発熱反応を用いて熱を発生する熱パッチは、通常は、容器及び容器内に格納された発熱組成物を含む。容器の少なくとも１つの区域は、発熱組成物の空気への露出が熱パッチの温度を上昇させる発熱反応を発生するように空気透過性である。
【０００５】
治療を施すためにパッチを用いる１つの欠点は、これらが一般的にある一定の大きさ及び形状に作られることである。従って、特定のパッチは、身体の一部の部位に治療を施すのに適するが、身体の他の部位には適さない場合がある。
使用者又は療法士が、身体の部位に身体のその部位に適切な大きさのパッチを付加することによって便利に治療をもたらすことを可能にするシステム及び方法の必要性が存在する。システム及び方法はまた、使用者又は療法士が適切な大きさのパッチを１つよりも多い身体の部位に付加することを可能にすることができるべきである。
【発明の開示】
【０００６】
本発明は、身体に治療をもたらすためのシステム及び方法に関する。このシステム及び方法は、身体のある一定の部位に治療をもたらすために身体のその部位上にパッチを置く段階を含む。システム及び方法は、身体の部位に適切な大きさのパッチを付加する柔軟性を使用者又は療法士に提供する。システム及び方法はまた、適切な大きさのパッチを身体の１つよりも多い部位に付加するのに有効である。
【０００７】
一部の例示的実施形態では、本発明は、身体に治療をもたらすためのシステムに関する。システムは、第１のパッチを含み、これは、第１のパッチが身体の近くに置かれた時に身体に第１の治療を施すものである。システムは、第２のパッチを更に含み、これは、第２のパッチが身体の近くに置かれた時に身体に第２の治療を施すものである。第２のパッチは、第１のパッチに取外し可能に固定され、第１のパッチ及び第２のパッチの組合せである第３のパッチを形成する。
他の例示的実施形態では、本発明は、身体に治療をもたらす方法に関する。本方法は、第２のパッチが第１のパッチに取外し可能に固定されて第３のパッチを形成している身体に治療をもたらすためのシステムから、第１のパッチ、第２のパッチ、又は第３のパッチのうちの１つを選択する段階を含む。本方法は、身体の負傷部位の近くに選択されたパッチを付加する段階を更に含む。
【０００８】
更に他の例示的実施形態では、本発明は、身体に治療をもたらすためのシステムに関する。システムは、第１のパッチを含み、これは、第１のパッチが身体の近くに置かれた時に身体に第１の治療を施すものである。第１のパッチは、身体の第１の部位に適合するようにカスタマイズされる。システムは、第２のパッチを更に含み、これは、第２のパッチが身体の近くに置かれた時に身体に第２の治療を施すものである。第２のパッチは、身体の第２の部位に適合するようにカスタマイズされ、第１のパッチに取外し可能に固定されて第１のパッチ及び第２のパッチの組合せである第３のパッチを形成する。
【０００９】
本発明の目的及び特徴は、以下の説明に示されている。本発明の付加的な特徴は、記述する説明及び本明細書の特許請求の範囲、並びに添付図面に特に示された製品及び方法によって実現及び達成されることになる。
以下の詳細説明及び添付図面を参照すると、本発明がより完全に理解され、更に別の特徴が明らかになるであろう。図面は、単に例示的であり、特許請求の範囲を限定する意図ではない。図面に表された同じ部分は、同じ参照番号によって参照される。
【発明を実施するための最良の形態】
【００１０】
以下の詳細説明においては、本発明を実施することができる具体的な実施形態を示す添付図面を参照する。これらの実施形態は、当業者が本発明を実施することができるように十分詳細に説明される。以下の詳細説明が限定的な意味に取られないように、他の実施形態を利用し、かつ構造上の変更を行うことができることは理解されるものとする。
図１〜図４は、身体１００に治療をもたらすためのシステム１０を示している（身体１００は、図３〜図４のみに示す）。システム１０は、第１のパッチ１２を含み、これは、第１のパッチ１２が身体１００の近くに置かれた時に身体１００に第１の治療を施すものである。システムは、第２のパッチ１４を更に含み、これは、第２のパッチ１４が身体１００の近くに置かれた時に身体１００に第２の治療を施すものである。第２のパッチ１４は、第１のパッチ１２に取外し可能に固定され、第１のパッチ１２及び第２のパッチ１４の組合せである第３のパッチ１６を形成する。図示の例示的実施形態では、第１のパッチ１２及び第２のパッチ１４は、同じ大きさ及び形状である。
本明細書で用いられる場合、パッチは、身体に治療を施すために用いることができるあらゆる種類のパッチ、パック、バッグ、又はポーチを意味する。更に、第１、第２、及び第３のパッチ１２、１４、１６のいずれも、身体１００に直接又は間接的に付加することができると考えられる。
【００１１】
図１〜図２に示すように、第１のパッチ１２及び第２のパッチ１４は、第２のパッチ１４から第１のパッチ１２を分離するために引き裂かれる（図２）穿孔区域１７により、互いに取外し可能に固定することができる。一部の実施形態では、穿孔区域１７は、第１及び第２のパッチ１２及び１４の間にあるスリット１８で形成される。スリット１８が図１〜図２に示されているが、穴及び欠刻（とりわけ）のような他の種類の穿孔を使用して第１のパッチ１２と第２のパッチ１４を分離することができることに注意すべきである。
【００１２】
スリット１８は、第１及び第２のパッチ１２及び１４の間を切断することによって穿孔区域１７に形成することができる。穿孔区域１７内の切断されない材料に対する切断される材料の比率が、スリット１８の大きさを決める。穿孔区域１７のスリット１８全体の大きさが増大すると、第２のパッチ１４から第１のパッチ１２を引き裂くのが容易になる。
更に、第３のパッチ１６が身体１００の部位に付加される場合、穿孔区域１７は、穿孔区域１７のその部位において第３のパッチ１６により大きな柔軟性を与えることができる。穿孔区域１７における第３のパッチ１６の柔軟性の増大は、身体１００の凸凹の大きい部位上に第３のパッチ１６をより容易に適合させることができる（例えば、図４参照）。
【００１３】
一部の実施形態では、第１及び第２のパッチ１２及び１４は、身体１００に熱治療を施す熱パッチとすることができる。一部の形態では、熱パッチの各々は、気体透過性区域を有する容器及び容器内に密封された発熱組成物を含むことができる。発熱組成物は、外気中に含まれる酸素のような気体が容器の気体透過性区域を通って受け取られた時に熱を発生可能とすることができる。
第１及び第２のパッチ１２及び１４が熱パッチである場合、これらを密封環境（例えば、密封バッグ）に格納し、そのために発熱組成物は、熱パッチが密封環境から除去されるまで不活性のままとすることができる。熱パッチが密封環境から取り出された状態で、各パッチ内の発熱組成物は、熱パッチ内で発熱反応が起こるように空気に露出される。発熱反応は、熱パッチ内で熱を発生し、これが熱パッチの温度を上昇させる。
あらゆる従来の発熱組成物を使用して熱パッチ内に発熱反応をもたらすことができる。一部の例示的な発熱組成物は、主要活性成分として鉄粉を含む。
【００１４】
他の実施形態では、第１及び第２のパッチ１２及び１４は、身体１００に冷却療法を施す冷却パッチとすることができる。冷却パッチの各々は、容器を含むことができ、これは、容器内に密封された溶質及び液体を有している。溶質及び液体は、最初は膜によって各容器内で隔離されている。この１つよりも多い容器における膜の破壊は（例えば、容器に圧力を加えることにより）、液体を溶質と混合して容器内に吸熱溶液を生成する。
あらゆる従来の溶質を使用してコールドパッチ内に吸熱反応をもたらすことができる。１つの例示的な溶質は、硝酸アンモニウムを含む。
【００１５】
本明細書に示し、説明し、及び／又は参照したパッチのいずれにおいても、パッチの１つ又はそれよりも多くは、身体に施される経皮及び／又は局所薬物療法のような薬物療法を含む場合があることに注意すべきである。一部の例示的な薬物療法は、局所鎮痛剤及び／又は抗生物質を含む。
更に、この１つよりも多くのパッチは、ハーブ、ビタミン、及び／又は植物性薬品のような様々な治療用添加剤で処理することができる。別の例示的な治療用添加剤は、粒子、チップ、及び／又はディスクのような磁気要素を含むことができる。一部の例示的な植物性薬品は、ラベンダー、カモミール、モイスチャー、脂質、エッセンシャルオイル、及び香料を含む。治療用添加剤は、パッチの内側にあるか又は直接パッチ上にスプレーすることができると考えられる。
【００１６】
一部の実施形態では、第１及び第２のパッチの少なくとも一方はまた、非ステロイド性抗炎症剤を含むことができる。一部の例示的な非ステロイド性抗炎症剤は、アスピリン、イブプロフェン、ケトプロフェン、及びナプロキセンナトリウムを含む（とりわけ）。一部の形態では、非ステロイド性抗炎症剤は、処方箋のみで入手可能である薬剤とすることができる。
第１、第２、及び第３のパッチ１２、１４、１６はまた、様々な皮膚疾患の治療を行うために皮膚患部に付加することができる。一部の例示的な疾患は、日焼け、熱傷、虫刺され、水虫、乾燥肌、又は他の慢性皮膚状態に起因する炎症を含む。
本明細書に説明した治療のあらゆる組合せは、第１及び／又は第２のパッチ１２、１４の一部とすることができることに注意すべきである。一例として、パッチの少なくとも１つは、経皮鎮痛剤も含む熱パッチとすることができる。更に、第１及び第２のパッチは、同じか又は異なる治療を身体１００にもたらすことができる。
【００１７】
図５は、図１〜図２に示すシステム１０の反対側を示している。図示の例示的実施形態では、システム１０は、第１、第２、及び第３のパッチ１２、１４、１６を身体１００に固定するために第１のパッチ１２及び第２のパッチ１４上に取り付けられた接着剤１９を含む。システム１０は、接着剤１９を保護するために接着剤１９上に取り付けられた取外し可能カバー２０を更に含むことができる。一部の実施形態では、取外し可能カバー２０は、第１のパッチ１２上の接着剤１９を覆う第１の区域２１及び第２のパッチ１４上の接着剤１９を覆う第２の区域２２を含むことができる。第１、第２、及び／又は第３のパッチ１２、１４、１６のどれが身体１００に付着されているかにより、取外し可能カバー２０の一方又は両方の区域２１、２２を除去して接着剤１９を露出することができる。
例として、接着剤１９は、スチレン−イソプレン−スチレンコポリマー、シリコーン、又はヒドロゲルとすることができるが、あらゆる従来の接着剤を使用することもできる。更に、取外し可能カバー２０は、接着剤１９から除去することができるポリエチレンフィルム、シリコーン紙、又はあらゆる他の材料とすることができる。
【００１８】
図６〜図９は、身体１００に治療をもたらすための別の例示的システム５０を示している（身体１００は、図８〜図９のみに示す）。システム５０は、第１のパッチ５２を含み、これは、第１のパッチ５２が身体１００の近くに置かれた時に身体１００に第１の治療を施すものである。システムは、第２のパッチ５４を更に含み、これは、第２のパッチ５４が身体１００の近くに置かれた時に身体１００に第２の治療を施すものである。第２のパッチ５４は、第１のパッチ５２に取外し可能に固定され、第１のパッチ５２及び第２のパッチ５４の組合せである第３のパッチ５６を形成する。
【００１９】
図８は、身体１００の第１の部位（例えば、肩）に適合するように第１のパッチ５２をカスタマイズすることができ、同時に身体１００の第２の部位（例えば、首）に適合するように第２のパッチ５４をカスタマイズすることができることを示している。更に、図９は、第３のパッチ５６を身体１００の第３の部位（例えば、腰）に適合するようにカスタマイズすることができ、そのために第１及び第２のパッチ５２及び５４が一緒のままに残された場合に第３のパッチ５６を身体１００の第３の部位に付加することができることを示している。
【００２０】
システム５０の第１及び第２のパッチ５２及び５４は、上述のパッチのいずれかとすることができることに注意すべきである。更に、第１及び第２のパッチ５２及び５４は、第１のパッチ５２を第２のパッチ５４から分離するために引き裂くことができるあらゆる種類の穿孔区域５７によって互いに取外し可能に固定することができる（図７）。
各システム１０及び５０の内の第１、第２、及び第３のパッチの適正な大きさ及び形状は、システム１０及び５０が使用される用途に依存することになる。一部の形態では、第１、第２、及び第３のパッチのうちの１つ又はそれよりも多くは、身体の腕、脚、頭、又は胴体の周りに適合するほど十分に長くすることができる。
システムは、互いに取外し可能に固定された２つのパッチを含むように本明細書に説明したが、より大きなパッチを形成するためにあらゆる数のパッチを互いに取外し可能に固定することができることに注意すべきである。更に、より大きなパッチを形成するこれらのパッチは、あらゆる形状を有することができる。
【００２１】
身体１００に治療をもたらす方法を図６〜図９を参照して本明細書に説明する。本方法は、第２のパッチ５４が第１のパッチ５２に取外し可能に固定されて第３のパッチ５６を形成している身体１００に治療をもたらすためのシステム５０から、第１のパッチ５２、第２のパッチ５４、又は第３のパッチ５６の１つを選択する段階を含む。本方法は、更に、身体１００のある一定の部位の近くに選択されたパッチを付加する段階を含む。図８は、選択されたパッチを第１のパッチ５２及び／又は第２のパッチ５４として示しているが、図９は、選択されたパッチを第３のパッチ５６として示している。
【００２２】
システム５０から第１のパッチ５２、第２のパッチ５４、又は第３のパッチ５６のうちの１つを選択する段階は、身体１００の部位に付加するのに適切な大きさのパッチを判断する段階を含むことができる。一例として、図９は、第３のパッチ５６が身体１００の腰に治療をもたらすように選択されたことを示している。
一部の実施形態では、身体１００の部位の近くに選択されたパッチを付加する段階は、身体のその部位に選択されたパッチを付加する段階を含むことができる。例として、図８及び図９は、第１、第２、及び第３のパッチ５２、５４、５６は、直接身体１００に付加することができるが、他の実施形態では、パッチ５２、５４、５６は、身体１００のその部位を覆う衣類又は包帯上に付加することができることを示している。更に、第１、第２、及び／又は第３のパッチ５２、５４、５６のいずれも、包帯、弾性包帯、テープ、ラップ、及び／又は弾性ラップ（とりわけ）を用いて身体１００の部位の近くに保持することができる。
【００２３】
第１のパッチ５２、第２のパッチ５４、又は第３のパッチ５６のうちの１つを選択する段階は、第１のパッチ５２を第２のパッチ５４から取外す段階（例えば、第１のパッチ５２と第２のパッチ５４の間の穿孔区域５７を引き裂くことにより）を含むことができることに注意すべきである。一部の実施形態では、選択されたパッチを身体１００のある一定の部位の近くに付加する段階は、（ｉ）第１のパッチ５２及び第２のパッチ５４の少なくとも一方が選択されたパッチである場合に、身体１００の部位の近くに第１のパッチ５２及び第２のパッチ５４の少なくとも一方を付加する段階、（ｉｉ）第３のパッチ５６が選択されたパッチである場合に、身体１００の部位の近くに第３のパッチ５６を付加する段階、及び／又は（ｉｉｉ）選択されたパッチ上の接着剤を保護するカバーを外して（例えば、図５の接着剤１９及びカバー２０参照）、その接着剤を用いて身体１００の部位の近くに選択されたパッチを接着する段階を含むことができる。
【００２４】
上述の方法に関して説明した操作は、本明細書に説明したものとは異なる順序で実行することができる。更に、図１〜図９は、具象的であって必ずしも縮尺通りではない。そのいくつかの比率は誇張されているが、他は縮小されている場合がある。
本発明をその具体的な態様に関して詳細に説明したが、当業者が、以上の理解に達した時に、特許請求の範囲に従って評価されるべきである本発明の精神及び範囲に該当するこれらの態様に対する変更、変形、及び均等物を容易に考えることができることは認められるであろう。
【図面の簡単な説明】
【００２５】
【図１】身体に治療をもたらすための例示的システムの平面図である。
【図２】システム内の第２のパッチが第１のパッチから引き裂かれている時の図１に示すシステムの平面図である。
【図３】身体上に取り付けた図１及び図２に示すシステムの第１のパッチ及び第２のパッチを示す平面図である。
【図４】身体上に取り付けた図１及び図２に示すシステムの第３のパッチを示す平面図である。
【図５】図１に示すシステムの反対側を示す平面図である。
【図６】身体に治療をもたらすための別の例示的システムの平面図である。
【図７】システム内の第２のパッチが第１のパッチから引き裂かれている時の図６に示すシステムの平面図である。
【図８】身体上に取り付けた図６及び図７に示すシステムの第１及び第２のパッチを示す平面図である。
【図９】身体上に取り付けた図６及び図７に示すシステムの第３のパッチを示す平面図である。
【符号の説明】
【００２６】
１２  第１のパッチ
１４  第２のパッチ
１６  第３のパッチ
１７  穿孔区域
【図１】
2007535360.tif 000003
【図２】
2007535360.tif 000004
【図３】
2007535360.tif 000005
【図４】
2007535360.tif 000006
【図５】
2007535360.tif 000007
【図６】
2007535360.tif 000008
【図７】
2007535360.tif 000009
【図８】
2007535360.tif 000010
【図９】
2007535360.tif 000011
【国際調査報告】
2007535360.tif 000012
2007535360.tif 000013
2007535360.tif 000014